(57)【要約】【課題】コネクタをコンセントに接続するときおよび接続後にコードが斜めに引っ張られたときのコネクタまたはコンセントの破損を防止できるようにする。【解決手段】コンセント２０に筒状のガイド２３を備え、ガイド２３の側面の一部に切欠き部２４を形成する一方、コネクタ１０には、コネクタ本体部１１から延設されガイド２３の内側の空間に嵌合する嵌合部１２と、当該嵌合部１２の外周部に設けられ切欠き部２４に嵌合する凸部１３とを形成することにより、凸部１３および切欠き部２４によりコネクタ１０とコンセント２０との位置決めを行ってコネクタ１０をコンセント２０に対して常に正しい挿入角度で接続することができるようにするとともに、接続後にコネクタ１０のコード１４が斜めに引っ張られても、嵌合部１２とガイド２３において負荷を吸収してコネクタ本体部１１に強い負荷がかからないようにする。【選択図】図１
2015046259.tif 000002
【特許請求の範囲】
【請求項１】
コンセントの差込口がある面に対して垂直に立設された筒状のガイドを備え、
上記ガイドは、上記筒状の側面の一部に、上記差込口がある面とは反対側の端部から上記差込口がある面の方向に向かって形成された切欠き部を有し、
上記コンセントに接続されるコネクタは、上記差込口に差し込まれるコネクタ本体部と、当該コネクタ本体部から延設され上記ガイドの内側の空間に嵌合する嵌合部と、当該嵌合部の外周部に設けられ上記切欠き部に嵌合する凸部とを有し、
上記ガイドの上記切欠き部を除く部分の内形は、上記嵌合部の上記凸部を除く部分の外形と略同形状に形成されている
ことを特徴とする、コネクタとコンセントとの接続構造。
【発明の詳細な説明】
【技術分野】
【０００１】
本発明は、コネクタとコンセントとの接続構造に関し、特に、壁面のコンセントおよびこれに接続して使用するコネクタの構造に関するものである。
【背景技術】
【０００２】
病院や介護施設などで使用される多くのナースコールシステムは、患者（被介護者）のベッドサイドなどに設置するハンド形子機や握り押ボタン等のナースコール子機を備えて構成されている。ベッドサイドの壁には壁埋込形子機が埋め込み設置されていて、ナースコール子機のコネクタはこの壁埋込形子機が備えているコンセントに接続される。図４は、ナースコール子機のコネクタ１００を壁埋込形子機のコンセント２００に差し込んで接続した状態を示している。
【０００３】
しかしながら、図４に示すような従来の接続構造では、コネクタ１００をコンセント２００に接続しようとするときの挿入角度が正しくない場合、無理に挿入しようとするとコネクタ１００またはコンセント２００が破損する恐れがあるという問題があった。また、コネクタ１００をコンセント２００に正しい角度で挿入して接続したとしても、その後、コードを斜めに引っ張ると、大きな負荷がかかってコネクタ１００またはコンセント２００が破損する恐れがあるという問題があった。
【０００４】
ナースコール子機は、そのコードをベッドの柵に括り付けて使用する場合がある。この状態でベッドを移動すると、ナースコール子機も一緒に移動してナースコール子機のコードが引っ張られる状態となる。このとき、ナースコール子機のコネクタ１００が壁埋込形子機のコンセント２００に接続されていると、コードが斜めに引っ張られ、コネクタ１００またはコンセント２００が破損してしまうことがある。
【０００５】
このような問題に対し、コネクタの側面に凸部を設ける一方で、コンセント側に凹部を設けることにより、コネクタとコンセントとの位置決めを行う技術が知られている（例えば、特許文献１参照）。また、ＰＣカードスロット（コネクタが差し込まれるコンセントに相当）の前面に四角筒状体のプロテクタを設けることによってコネクタを保護し、コネクタの破損を防止する技術も知られている（例えば、特許文献２参照）。
【先行技術文献】
【特許文献】
【０００６】
【特許文献１】特開平９−３２６２７６号公報
【特許文献２】登録実用新案第３０５９６１２号公報
【発明の概要】
【発明が解決しようとする課題】
【０００７】
しかしながら、上記特許文献１に記載の技術では、コネクタをコンセントに対して正しい挿入角度で接続するようにすることは可能であるが、接続した後、コードが斜めに引っ張られたときにコネクタまたはコンセントが破損する恐れがあるという問題については解消することができない。
【０００８】
また、上記特許文献２に記載された技術では、コネクタ部分に直接的に負荷がかけられることによって生じるコネクタの破損は防止できるものの、コードが斜めに引っ張られたときにコネクタまたはコンセントが破損する恐れがあるという問題は解消することができない。
【０００９】
さらに、上記特許文献２に記載された技術では、コンセントの前面に設けたプロテクタによって、コンセントの差込口が見にくくなってしまう。そのため、コネクタをコンセントに接続しようとするときに、正しい挿入角度で接続することが難しくなる。その結果、コネクタをコンセントに接続するときにコネクタまたはコンセントが破損する恐れがあるという問題を解消することができない。
【００１０】
本発明は、このような問題を解決するために成されたものであり、コネクタをコンセントに接続するときのコネクタまたはコンセントの破損を防止できるようにするとともに、接続後にコードが斜めに引っ張られたときのコネクタまたはコンセントの破損も防止できるようにすることを目的とする。
【課題を解決するための手段】
【００１１】
上記した課題を解決するために、本発明では、コンセントの差込口がある面に対して垂直に立設された筒状のガイドを備える。このガイドは、筒状の側面の一部に、差込口がある面とは反対側の端部から差込口がある面の方向に向かって形成された切欠き部を有する。一方、コンセントに接続されるコネクタは、差込口に差し込まれるコネクタ本体部と、当該コネクタ本体部から延設されガイドの内側の空間に嵌合する嵌合部と、当該嵌合部の外周部に設けられ切欠き部に嵌合する凸部とを有する。そして、ガイドの切欠き部を除く部分の内形を、嵌合部の凸部を除く部分の外形と略同形状に形成するようにしている。
【発明の効果】
【００１２】
上記のように構成した本発明によれば、コネクタの凸部をガイドの切欠き部に嵌合させながらコネクタをコンセントの差込口に挿入することにより、コンセントの差込口の視認性がガイドによって多少損なわれたとしても、コネクタをコンセントに対して常に正しい挿入角度で接続することができる。これにより、コネクタをコンセントに接続するときのコネクタまたはコンセントの破損を防止することができる。
【００１３】
また、本発明によれば、コネクタをコンセントに接続した状態において、コネクタの嵌合部の外形と略同形状に内形が形成されたガイドによって、コネクタの嵌合部の外周部分が覆われて、嵌合部がガイドに支えられることとなる。そのため、コネクタのコードが斜めに引っ張られても、嵌合部とガイドにおいて負荷を吸収してコネクタ本体部に強い負荷がかからないようにすることができる。これにより、コネクタがコンセントに接続されている状態でコードが斜めに引っ張られたときのコネクタまたはコンセントの破損を防止することもできる。
【図面の簡単な説明】
【００１４】
【図１】本実施形態によるコネクタとコンセントとの接続構造例を示す図であり、コネクタとコンセントとが接続されていない状態を示す図である。
【図２】本実施形態によるコネクタとコンセントとの接続構造例を示す図であり、コネクタとコンセントとが接続された状態を示す図である。
【図３】本実施形態によるコネクタとコンセントとの接続構造例を示す斜視図である。
【図４】従来のコネクタとコンセントとの接続構造例を示す図である。
【発明を実施するための形態】
【００１５】
以下、本発明の一実施形態を図面に基づいて説明する。図１および図２は、本実施形態によるコネクタとコンセントとの接続構造例を示す図である。ここで、図１はコネクタ１０とコンセント２０とが接続されていない状態を示し、図２はコネクタ１０とコンセント２０とを接続した状態を示している。
【００１６】
また、図１（ａ）および（ｂ）はコネクタ１０の構成例を示す図であり、このうち図１（ａ）は側断面図、図１（ｂ）は正面図を示している。一方、図１（ｃ）および（ｄ）はコンセント２０の構成例を示す図であり、このうち図１（ｃ）は側断面図、図１（ｄ）は正面図を示している。また、図２は側断面図を示している。
【００１７】
さらに、図３は、本実施形態によるコネクタとコンセントとの接続構造の外観構成例を示す斜視図である。図３（ａ）はコネクタ１０を正しい角度で挿入した状態を示し、図３（ｂ）はコネクタ１０を正しくない角度で挿入しようとしている状態を示している。
【００１８】
図１〜図３に示すように、本実施形態のコンセント２０は、差込口２２がある面５０に対して垂直に立設された筒状のガイド２３を備えている。このガイド２３は、筒状の側面の一部に、差込口２２がある面５０とは反対側の端部から差込口２２がある面５０の方向に向かって形成された切欠き部２４を有している。
【００１９】
一方、本実施形態のコネクタ１０は、差込口２２に差し込まれるコネクタ本体部１１と、コネクタ本体部１１から延設されガイド２３の内側の空間に嵌合する嵌合部１２と、当該嵌合部１２の外周部に設けられ切欠き部２４に嵌合する凸部１３とを有している。ガイド２３の切欠き部２４を除く部分の内形は、嵌合部１２の凸部１３を除く部分の外形と略同形状に形成されている。
【００２０】
本実施形態のコネクタ１０およびコンセント２０が上記のような構造を有することにより、コネクタ１０の凸部１３をガイド２３の切欠き部２４に嵌合させる角度に合わせなければ、図３（ｂ）のようにコネクタ１０をコンセント２０に接続することはできなくなる。
【００２１】
一方、図３（ａ）のように、コネクタ１０の凸部１３をガイド２３の切欠き部２４に嵌合させながらコネクタ１０をコンセント２０に挿入することにより、コンセント２０の差込口２２の視認性がガイド２３によって多少損なわれたとしても、コネクタ１０をコンセント２０に対して常に正しい挿入角度（コネクタ１０の雌ピンとコンセント２０の雄ピンとが正しく嵌る角度）で接続することができる。これにより、コネクタ１０をコンセント２０に接続するときのコネクタ１０またはコンセント２０の破損を防止することができる。
【００２２】
また、図３（ａ）のようにコネクタ１０をコンセント２０に接続した状態において、コネクタ１０の嵌合部１２の外形と略同形状に内形が形成されたガイド２３によって、コネクタ１０の嵌合部１２の外周部分が覆われて、嵌合部１２がガイド２３に支えられることとなる。そのため、コネクタ１０のコード１４が斜めに引っ張られても、嵌合部１２とガイド２３において負荷を吸収してコネクタ本体部１１に強い負荷がかからないようにすることができる。これにより、コネクタ１０がコンセント２０に接続されている状態でコード１４が斜めに引っ張られたときのコネクタ１０またはコンセント２０の破損を防止することもできる。
【００２３】
なお、上記実施形態では、ガイド２３が円筒形状である例について説明したが、本発明はこれに限定されない。例えば、楕円形状あるいは多角形状のガイドを設けるようにしてもよい。この場合、ガイド２３の切欠き部２４を除く部分の内形が楕円形状あるいは多角形状となるので、嵌合部１２の凸部１３を除く部分の外形も楕円形状あるいは多角形状に形成する。
【００２４】
また、上記実施形態で示したコネクタ１０のコネクタ本体部１１の形状およびコンセント２０の差込口２２の形状は単なる一例であって、本発明はこの形状に限定されるものではない。
【００２５】
また、上記実施形態では、ガイド２３の切欠き部２４を１つのみ設け、これに合わせてコネクタ１０の凸部１３を１つのみ設ける例について説明したが、切欠き部２４および凸部１３の数は１つに限定されるものではない。また、切欠き部２４の形状も上記実施形態に限定されるものではない。
【００２６】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２７】
１０  コネクタ
１１  コネクタ本体部
１２  嵌合部
１３  凸部
１４  コード
２０  コンセント
２１  コンセント本体部
２２  差込口
２３  ガイド
２４  切欠き部
【図１】
2015046259.tif 000003
【図２】
2015046259.tif 000004
【図３】
2015046259.tif 000005
【図４】
2015046259.tif 000006